(57)【特許請求の範囲】
【請求項１】
電池の電力により駆動すると共に、周囲に検出対象となるガスが存在する場合にその濃度に応じた信号を出力するガスセンサと、前記ガスセンサからの信号に基づいて所定濃度以上のガスが検知されるとガス漏れと判断するガス漏れ判断部と、前記ガス漏れ判断部によりガス漏れと判断された場合に、警報出力して異常状態を報知する警報部とを備えた電池式ガス警報器であって、
電池状態を表示可能な液晶ディスプレイと、
前記液晶ディスプレイの表示を制御する制御部と、を備え、
前記液晶ディスプレイは、
液晶背面に反射板を有して外部光により視認可能とさせる反射型タイプのものであって、前記反射板又は前記液晶と前記反射板との間に介在した介在部材に、前記電池の電圧が所定電圧以上であることを示す電池正常表示が、白色、黒色及びこれらの中間色を除く色の着色部のみで印刷されており、
前記電池の電圧が所定電圧以上である場合に、前記液晶ディスプレイの前記電池正常表示の印刷部位のみについて光を透過可能に制御して、前記電池正常表示を表示させると共に、前記電池の電圧が前記所定電圧以下の特定電圧未満である場合、黒いベタ表示によって前記電池正常表示が隠される
ことを特徴とする電池式ガス警報器。
【請求項２】
前記特定電圧は、前記所定電圧未満の電圧であって、
前記制御部は、前記電池の電圧が特定電圧以上所定電圧未満である場合、前記電池正常表示を間欠的に視認可能として、前記電池正常表示を点滅表示させる
ことを特徴とする請求項１に記載の電池式ガス警報器。
【発明の詳細な説明】
【技術分野】
【０００１】
本発明は、電池式ガス警報器に関する。
【背景技術】
【０００２】
従来、電池残量が充分である場合にスイッチ操作や引き紐操作が行われると、ＬＥＤ（Light Emitting Diode）を点灯させる電池式ガス警報器が知られている。また、液晶ディスプレイを用いて電池電圧の低下を報知する電池式ガス警報器が提案されている（例えば特許文献１参照）。この電池式ガス警報器では、反射型の液晶ディスプレイを用い、液晶ディスプレイの反射板等に電池切れの文字を印刷しているため、電池切れ時には、印刷が視認可能となり、スイッチ操作や引き紐操作を要することなく電池状態を表示することができる。
【先行技術文献】
【特許文献】
【０００３】
【特許文献１】特開２０１２−１０３９４９号公報
【発明の概要】
【発明が解決しようとする課題】
【０００４】
ここで、特許文献１に記載の電池式ガス警報器は、通常天井付近や床付近に設置されるものであるため、液晶ディスプレイを正面から視認し難い。このため、液晶ディスプレイを正面から視認できず、電池電圧が所定電圧以上であることを確認し難くなるものであった。特に、特許文献１に記載の電池式ガス警報器は、電池電圧が所定電圧以上である場合には液晶ディスプレイに黒いベタ表示を行う構成となっている。黒いベタ表示は、黒色の単色表示であることから反射等を招き易く、電池電圧が所定電圧以上であることをより一層確認し難くなる要因となっている。
【０００５】
本発明はこのような従来の課題を解決するためになされたものであり、その発明の目的とするところは、電池電圧が所定電圧以上であることを確認させ易くすることが可能な電池式ガス警報器を提供することにある。
【課題を解決するための手段】
【０００６】
本発明の電池式ガス警報器は、電池の電力により駆動すると共に、周囲に検出対象となるガスが存在する場合にその濃度に応じた信号を出力するガスセンサと、前記ガスセンサからの信号に基づいて所定濃度以上のガスが検知されるとガス漏れと判断するガス漏れ判断部と、前記ガス漏れ判断部によりガス漏れと判断された場合に、警報出力して異常状態を報知する警報部とを備えた電池式ガス警報器であって、電池状態を表示可能な液晶ディスプレイと、前記液晶ディスプレイの表示を制御する制御部と、を備え、前記液晶ディスプレイは、液晶背面に反射板を有して外部光により視認可能とさせる反射型タイプのものであって、前記反射板又は前記液晶と前記反射板との間に介在した介在部材に、前記電池の電圧が所定電圧以上であることを示す電池正常表示が、白色、黒色及びこれらの中間色を除く色の着色部のみで印刷されており、前記電池の電圧が所定電圧以上である場合に、前記液晶ディスプレイの前記電池正常表示の印刷部位のみについて光を透過可能に制御して、前記電池正常表示を表示させると共に、前記電池の電圧が前記所定電圧以下の特定電圧未満である場合、黒いベタ表示によって前記電池正常表示が隠されることを特徴とする。
【０００７】
この電池式ガス警報器によれば、電池電圧が所定電圧以上である場合に電池正常表示が視認可能となるため、所定電圧以上であるときに黒いベタ表示を表示させる場合と比較すると、電池正常表示が表示される分だけ、電池電圧が所定電圧以上であることを確認させ易くなる。特に、電池正常表示は、白色、黒色及びこれらの中間色を除く色の着色部を有しているため、彩度がゼロ以外の色による着色部を有することとなり、一層所定電圧以上であることを確認させ易くなる。従って、電池電圧が所定電圧以上であることを確認させ易くすることができる電池式ガス警報器を提供することができる。さらに、電池の電圧が所定電圧以上である場合、着色部のみによって構成される電池正常表示の印刷部位のみについて光を透過可能に制御して、電池正常表示を表示させるため、電池正常表示以外の部分については黒いベタ表示となり、黒という最も彩度が低い色との彩度差により、一層視認し易い表示とすることができる。
【０００８】
また、本発明の電池式ガス警報器において、前記特定電圧は、前記所定電圧未満の電圧であって、前記制御部は、前記電池の電圧が特定電圧以上所定電圧未満である場合、前記電池正常表示を間欠的に視認可能として、前記電池正常表示を点滅表示させることが好ましい。
【０００９】
この電池式ガス警報器によれば、電池の電圧が特定電圧以上所定電圧未満である場合、電池正常表示を間欠的に視認可能として、電池正常表示と黒いベタ表示とを交互に表示させるため、電池切れに近づいている状態を適切に表現することができる。
【発明の効果】
【００１２】
本発明によれば、電池電圧が所定電圧以上であることを確認させ易くすることが可能な電池式ガス警報器を提供することができる。
【図面の簡単な説明】
【００１３】
【図１】本発明の実施形態に係る電池式ガス警報器を示す外観構成図である。
【図２】本発明の実施形態に係る電池式ガス警報器を示す内部構成図である。
【図３】図２に示した液晶ディスプレイを示す一部破断拡大図である。
【図４】図１に示した液晶ディスプレイの外観図であって、（ａ）は正面図を示し、（ｂ）は側面図を示している。
【図５】図２及び図３に示した液晶ディスプレイの表示例を示す正面図であり、（ａ）は電池電圧が所定電圧以上のときの表示例を示し、（ｂ）は電池電圧が特定電圧未満のときの表示例を示している。
【図６】本実施形態に係る電池式ガス警報器の制御方法を示すフローチャートである。
【発明を実施するための形態】
【００１４】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾点が発生しない範囲内において、適宜公知又は周知の技術が適用されていることはいうまでもない。
【００１５】
さらに、以下において電池式ガス警報器は、電池式のＣＯ警報器や火災警報器など、２以上警報器の機能を組み合わせたタイプのものであってもよい。
【００１６】
図１は、本発明の実施形態に係る電池式ガス警報器を示す外観構成図であり、図２は、本発明の実施形態に係る電池式ガス警報器を示す内部構成図である。図１及び図２に示す電池式ガス警報器１は、電池２０の電力により駆動し、ガス漏れ等の異常状態を検出した場合に異常状態が発生している旨の警報を出力する定置式の警報器である。なお、本実施形態ではガス漏れの他、ＣＯによる異常状態の検知機能を有する電池式ガス警報器を例に説明する。
【００１７】
本実施形態に係る電池式ガス警報器１は、図２に示すガスセンサ１０、電池２０、ＣＰＵ３０、音声出力部（警報部）４０、及び液晶ディスプレイ５０等を備えるものであり、これらが図１に示した樹脂ケース２に覆われた構造となっている。樹脂ケース２の正面側には、例えばガスセンサ１０を内部に備えた検出部３と、警報出力用の音声出力部４０を内部に備えた報知部４と、液晶ディスプレイ５０の表示面（後述の符号５０ａ参照）が外部に露出した表示部５と、警報時において警報を停止させる停止スイッチ６とが設けられている。
【００１８】
ガスセンサ１０は、周囲に検出対象となるガス（ＬＰガスや都市ガス）が存在する場合にその濃度に応じた信号を出力するものである。このガスセンサ１０は、半導体式、接触燃焼式等のセンサにより構成されている。また、ガスセンサ１０には、上記のセンサのほか、一酸化炭素濃度に応じた信号を出力するセンサ部も併設されている。
【００１９】
ＣＰＵ３０は、電池式ガス警報器１の全体を制御するものである。このＣＰＵ３０は、ガス漏れ判断部３１と、表示制御部（制御部）３２とを備えている。ガス漏れ判断部３１は、ガスセンサ１０からの信号に基づいて所定濃度以上のガスが検知されるとガス漏れと判断するものである。ガス漏れ判断部３１は、ガス漏れが発生していると判断すると、その旨の信号を音声出力部４０に送信する。
【００２０】
音声出力部４０は、スピーカやブザーにより構成され、ガス漏れ判断部３１によりガス漏れと判断された場合に、警報出力して異常状態を報知するものである。液晶ディスプレイ５０は、表示のために液晶組成物を利用する表示装置であって、電池状態を表示可能なものである。表示制御部３２は、液晶ディスプレイ５０及びＬＥＤ（図示せず）の表示を制御するものである。ここで、液晶ディスプレイ５０は、電池２０からの電圧により駆動される。すなわち、電池２０は液晶ディスプレイ５０の駆動用電源としても機能している。
【００２１】
図３は、図２に示した液晶ディスプレイ５０を示す一部破断拡大図である。図３に示すように、液晶ディスプレイ５０は、液晶背面に反射板５６を有して外部光により視認可能とさせる反射型タイプのものである。この液晶ディスプレイ５０は、使用者の視認側（表側）から第１偏光フィルター５１、第１ガラス基板５２、スペーサ５３、第２ガラス基板５４、第２偏光フィルター５５、及び反射板５６の順に積層されて構成されている。また、スペーサ５３は、第１透明電極５３ａ、第１配向膜５３ｂ、液晶層５３ｃ、第２配向膜５３ｄ、及び第２透明電極５３ｅの順に積層されて構成されている。
【００２２】
第１偏光フィルター５１及び第２偏光フィルター５５は図３に示す第１方向に偏光した光だけに限って通過させるフィルターである。第１ガラス基板５２及び第２ガラス基板５４は、第１透明電極５３ａ及び第２透明電極５３ｅからの電流が外部に漏れないようにするために設けられたものである。
【００２３】
スペーサ５３は、２枚のガラス基板５２，５４との間に一定距離を確保するものである。第１透明電極５３ａ及び第２透明電極５３ｅは、液晶ディスプレイ５０を駆動するための電極であって、表示の妨げにならないように透明度の高い材料が用いられている。第１配向膜５３ｂ及び第２配向膜５３ｄは、液晶分子を一定方向に並べるための膜であって、第１配向膜５３ｂは第１方向に液晶分子を並べるように溝が形成され、第２配向膜５３ｄは第２方向に液晶分子を並べるように溝が形成されている。
【００２４】
液晶層５３ｃは、液晶分子により形成された層である。反射板５６は、液晶ディスプレイ５０の視認側から入射した光を反射するものである。この反射板５６により液晶ディスプレイ５０はバックライトを不要としている。
【００２５】
このような液晶ディスプレイ５０では、液晶分子が配向膜５３ｂ，５３ｄに沿って並んでいる。このため、光は液晶分子に沿って捩れることとなり、偏光フィルター５１，５５を通過しないこととなる。これにより、液晶ディスプレイ５０は黒色に表示されることとなる。一方、透明電極５３ａ，５３ｅに電圧が印加されると、液晶分子が積層方向に並びを変えることとなる。このため、光は捩れることなく第１方向に偏光する光が偏光フィルター５１，５５を通過することとなる。これにより、液晶ディスプレイ５０は白色に表示されることとなる。
【００２６】
図４は、図１に示した液晶ディスプレイ５０の外観図であって、（ａ）は正面図を示し、（ｂ）は側面図を示している。図４（ａ）に示すように、液晶ディスプレイ５０は、正面に各種表示を行う表示部５０ａが形成されており、これが図１に示すように、樹脂ケース２から露出している。また、液晶ディスプレイ５０の下部には複数本の端子５０ｂが形成されている。端子５０ｂは図２に示した透明電極５３ａ，５３ｅに電気的に接続されており、電池式ガス警報器１は端子５０ｂを介して電圧を印加することで表示内容を制御する。
【００２７】
このような電池式ガス警報器１において、液晶ディスプレイ５０の反射板５６には、電池電圧が所定電圧以上であることを示す電池正常表示が印刷されている。この電池正常表示は、緑色（白色、黒色及びこれらの中間色を除く色の一例）の着色部を有するものであり、本実施形態においては、その全体が緑色の着色部のみによって構成されている。なお、電池正常表示の印刷は反射板５６に形成されている場合に限らず、液晶層５３ｃと反射板５６との間に介在した介在部材５４，５５にされていてもよい。
【００２８】
次に、液晶ディスプレイ５０の表示例と共に表示制御部３２の動作を説明する。図５は、図２及び図３に示した液晶ディスプレイ５０の表示例を示す正面図であり、（ａ）は電池電圧が所定電圧以上のときの表示例を示し、（ｂ）は電池電圧が特定電圧未満のときの表示例を示している。
【００２９】
本実施形態においてＣＰＵ３０は、電池電圧を検出する機能を有しており、電池電圧が所定電圧（例えば２．６Ｖ）以上であるか、及び、所定電圧以下の特定電圧（例えば２．４Ｖ）未満であるかを判断するようになっている。なお、ＣＰＵ３０自体は、特定電圧よりも低い最低電圧（例えば２．０Ｖ）まで動作可能となっており、電池電圧が最低電圧を下回るまでは電池電圧を検出することができる。しかし、これに限らず、ＣＰＵ３０の外に電圧検出ＩＣを備える構成であってもよい。
【００３０】
まず、図５（ａ）に示すように、ＣＰＵ３０は、電池電圧を検出し、その電圧が所定電圧以上であると判断した場合、表示制御部３２による制御によって電池正常表示ＮＤを視認可能とさせる。本実施形態において電池正常表示ＮＤは、電池型の外郭部ＮＤ１と、外郭部ＮＤ１の内側に配置される方形部ＮＤ２という複数の図形ＮＤ１，ＮＤ２から構成されている。電池正常表示ＮＤを視認可能とさせる際、表示制御部３２は、電池正常表示ＮＤの印刷部位のみについて光を透過可能に制御して、電池正常表示ＮＤを表示させる。これにより、電池正常表示ＮＤ以外の部分については黒いベタ表示ＢＤとなり、黒という最も彩度が低い色と緑色との彩度差により、一層視認し易い表示とすることができる。特に、複数の図形ＮＤ１，ＮＤ２との隙間においても黒いベタ表示ＢＤがされることから、彩度差を表現する箇所が多くなり、より一層視認し易い表示となっている。
【００３１】
一方、ＣＰＵ３０は、検出した電圧が特定電圧未満であると判断した場合、周辺回路を停止させる。この結果、表示制御部３２は液晶ディスプレイ５０の端子５０ｂに電圧を印加しないこととなる。これにより、図５（ｂ）に示すように、液晶ディスプレイ５０は黒いベタ表示ＢＤを行うこととなり、図５（ａ）に示した電池正常表示ＮＤの印刷は隠されることとなる。
【００３２】
なお、上記において所定電圧が２．６Ｖであり、特定電圧が２．４Ｖである例を説明したが、これに限らず、所定電圧と特定電圧とは同じ値の電圧値であってもよい。
【００３３】
次に、本実施形態に係る電池式ガス警報器１の制御方法を説明する。図６は、本実施形態に係る電池式ガス警報器１の制御方法を示すフローチャートである。図６に示すように、まずＣＰＵ３０は、電池電圧を検出する（Ｓ１）。そして、ＣＰＵ３０は、ステップＳ１にて検出された電池電圧が所定電圧以上であるかを判断する（Ｓ２）。
【００３４】
所定電圧以上であると判断した場合（Ｓ２：ＹＥＳ）、表示制御部３２は、電池正常表示ＮＤの該当箇所のみを光が透過可能に制御して、電池正常表示ＮＤを視認可能とさせる（Ｓ３）。そして、図６に示す処理は終了する。
【００３５】
一方、所定電圧以上でないと判断した場合（Ｓ２：ＮＯ）、ＣＰＵ３０は、電池電圧が特定電圧未満であるかを判断する（Ｓ４）。特定電圧未満であると判断した場合（Ｓ４：ＹＥＳ）、表示制御部３２は、周辺回路（液晶ディスプレイ５０の駆動回路を含む）を停止させて黒いベタ表示ＢＤを行う（Ｓ５）。そして、図６に示す処理は終了する。
【００３６】
また、特定電圧未満でないと判断した場合（Ｓ４：ＮＯ）、すなわち、電池電圧が特定電圧以上所定電圧未満である場合、表示制御部３２は、電池正常表示ＮＤを間欠的に視認可能として、電池正常表示ＮＤを点滅表示させる（Ｓ６）。そして、図６に示す処理は終了する。
【００３７】
なお、図６に示す処理は、電源投入時や前回処理実行時から特定時間（例えば２５時間）経過後など、所定のタイミングで実行される。また、図６に示す処理は、電池電圧が最低電圧を下回らない限り、繰り返し実行される。一方、電池電圧が最低電圧を下回った場合（特に電池切れの場合）、図６に示す処理は実行されることなく、液晶ディスプレイ５０にはが黒いベタ表示ＢＤが表示され続ける状態となる。
【００３８】
このようにして、本実施形態に係る電池式ガス警報器１によれば、電池電圧が所定電圧以上である場合に電池正常表示ＮＤが視認可能となるため、所定電圧以上であるときに黒いベタ表示ＢＤを表示させる場合と比較すると、電池正常表示ＮＤが表示される分だけ、電池電圧が所定電圧以上であることを確認させ易くなる。特に、電池正常表示ＮＤは、緑色の着色部ＣＰを有しているため、彩度がゼロ以外の色による着色部ＣＰを有することとなり、一層所定電圧以上であることを確認させ易くなる。従って、電池電圧が所定電圧以上であることを確認させ易くすることができる電池式ガス警報器１を提供することができる。
【００３９】
しかも、着色部ＣＰも印刷によって実現されることからカラーフィルタを使用しなくともよく、安価にカラー表示を行うことができる。
【００４０】
また、電池２０の電圧が特定電圧以上所定電圧未満である場合、電池正常表示ＮＤを間欠的に視認可能として、電池正常表示ＮＤと黒いベタ表示ＢＤとを交互に表示させるため、電池切れに近づいている状態を適切に表現することができる。
【００４１】
また、電池２０の電圧が所定電圧以上である場合、着色部ＣＰのみによって構成される電池正常表示ＮＤの印刷部位のみについて光を透過可能に制御して、電池正常表示ＮＤを表示させるため、電池正常表示ＮＤ以外の部分については黒いベタ表示ＢＤとなり、黒という最も彩度が低い色との彩度差により、一層視認し易い表示とすることができる。
【００４２】
以上、実施形態に基づき本発明を説明したが、本発明は上記実施形態に限られるものではなく、本発明の趣旨を逸脱しない範囲で、変更を加えてもよいし、可能な範囲で適宜他の技術を組み合わせてもよい。
【００４３】
例えば、上記実施形態においてＣＰＵ３０は、無負荷による電池電圧の検出を行っているが、これに限らず、ダミー抵抗を接続して電池電圧の検出を行ってもよいし、スピーカ等の周辺回路を動作させて電池電圧の検出を行うようにしてもよい。
【００４４】
また、電池式ガス警報器１は図１に示すように正面側の右下に液晶ディスプレイ５０が設けられているが、これに限らず、他の箇所に設けられてもよい。但し、都市ガス用の電池式ガス警報器１は天井付近に設けられる関係上、液晶ディスプレイ５０は樹脂ケース２の下側に設けられることが好ましい。また、ＬＰガス用の電池式ガス警報器１は床面近くに設けられる関係上、液晶ディスプレイ５０は樹脂ケース２の上側に設けられることが好ましい。
【００４５】
さらに、本実施形態において電池正常表示ＮＤは複数の図形ＮＤ１，ＮＤ２により構成されているが、１つの図形によって構成されてもよいし、文字や記号により構成されてもよい。
【符号の説明】
【００４６】
１                ：電池式ガス警報器
２                ：樹脂ケース
３                ：検出部
４                ：報知部
５                ：表示部
６                ：停止スイッチ
１０              ：ガスセンサ
２０              ：電池
３０              ：ＣＰＵ
３１              ：ガス漏れ判断部
３２              ：表示制御部（制御部）
４０              ：音声出力部（警報部）
５０              ：液晶ディスプレイ
５０ａ            ：表示部
５４，５５        ：介在部材
５６              ：反射板
ＢＤ              ：黒いベタ表示
ＣＰ              ：着色部
ＮＤ              ：電池正常表示
【図１】
0006630102.tif 000002
【図２】
0006630102.tif 000003
【図３】
0006630102.tif 000004
【図４】
0006630102.tif 000005
【図５】
0006630102.tif 000006
【図６】
0006630102.tif 000007